(57)【要約】【課題】口金と柄部本体を締め付ける連結ロッドを不要にして、部品点数を低減し、構造を簡素化して、コストの低減を図ることができる手動利器における柄部の構造を提供する。【解決手段】刃部１１の基端部に連結された口金１４の後端面１４ａのほぼ中央部に棒状のバランスウェート１９を一体に連結する。前記口金１４の後端面１４ａの外周縁に対し、袋状に形成された柄部本体１３の先端開口縁を突き合わせて溶接部２０によって連結する。【選択図】      図１
2006110165.tif 000002
【特許請求の範囲】
【請求項１】
刃部の基端部を連結する口金の後端面にバランスウェートを連結し、前記口金の後端面の外周縁に対し、前記バランスウェートを覆うように袋状に形成された柄部本体の先端開口縁を溶接部により接合したことを特徴とする手動利器における柄部の構造。
【請求項２】
請求項１において、前記柄部本体は、柄部の長手方向に分割された一対の分割片を溶接部により接合して形成されていることを特徴とする手動利器における柄部の構造。
【請求項３】
請求項１又は２において、前記バランスウェートは棒状に形成され、かつ前記口金に一体に形成されていることを特徴とする手動利器における柄部の構造。
【発明の詳細な説明】
【技術分野】
【０００１】
本発明は、例えば包丁やナイフ或いはフォーク等の手動利器における柄部の構造に関する。
【背景技術】
【０００２】
従来、例えば包丁の柄部は刃部と一体に形成された中子に対し、柄部を構成する左右一対の木材或いは合成樹脂よりなる柄部の構成片を接合してかしめピンによってかしめ付けたり、前記中子を成形型内に収容し、成形型のキャビティに合成樹脂を流し込んで柄部を一体的に成形したりするものも提案されている。
【０００３】
一方、柄部の高級感を目的として柄部本体の前後両端部に対して口金と尻金を接合するようにしたものもあった。この接合構造は、柄部本体の内部に軸方向に貫通する孔を設けるとともに、この貫通孔に対し連結ロッドを貫通し、該ロッドの先端雄ネジ部を口金に形成したネジ孔に螺合して連結し、連結ロッドの後端雄ネジ部を前記尻金に形成したネジ孔に螺合して連結するようになっていた。
【発明の開示】
【発明が解決しようとする課題】
【０００４】
ところが、上記従来の柄部の構造は、口金と尻金の間に柄部本体を強固に締め付けることが難しいという問題があった。すなわち、柄部本体及び尻金の後方から見た外形形状は、機能及び意匠上の観点から、真円形となっておらず、例えば上下方向に長い楕円形や横向きの栗形状に形成されている。このため、連結ロッドの後端部に設けた雄ネジ部に対して尻金を螺合して、柄部本体の後端面に締め付け固定する場合に、最終の螺合位置が柄部本体の後端面の後方から見た外形形状に適合する位置で締め付けを停止しなければならないので、十分な締め付け力を確保することができないという問題があった。この締め付け力が不足すると口金と柄部本体の前端面との接触面のシール性が低下して水分や食物等の細かい滓が侵入し、これによって締め付け力が低下して耐久性を損なうという問題があった。
【０００５】
本発明は、上記従来の技術に存する問題点を解消して、口金と柄部本体を締め付ける連結ロッドを不要にして、部品点数を低減し、構造を簡素化して、コストの低減を図ることができる手動利器における柄部の構造を提供することにある。
【課題を解決するための手段】
【０００６】
上記問題点を解決するために、請求項１に記載の発明は、刃部の基端部を連結する口金の後端面にバランスウェートを連結し、前記口金の後端面の外周縁に対し、前記バランスウェートを覆うように袋状に形成された柄部本体の先端開口縁を溶接部により接合したことを要旨とする。
【０００７】
請求項２に記載の発明は、請求項１において、前記柄部本体は、柄部の長手方向に分割された一対の分割片を溶接部により接合して形成されていることを要旨とする。
請求項３に記載の発明は、請求項１又は２において、前記バランスウェートは棒状に形成され、かつ前記口金に一体に形成されていることを要旨とする。
【発明の効果】
【０００８】
請求項１記載の発明は、口金の後端面の外周縁に対し、袋状をなす柄部本体の先端開口縁を突き合わせて溶接部により接合したので、口金及び柄部本体の連結ロッドを不要にして、部品点数を低減して構造を簡素化でき、コストの低減を図ることができる。又、請求項１記載の発明は、前記口金の後端面にバランスウェートを連結したので、手動利器の重心位置を柄部側に変位して、刃部と柄部の重量バランスを適正に保持することができる。
【０００９】
請求項２記載の発明は、柄部本体が一対の分割片を溶接部により接合して形成されているので、柄部本体を所望する形状に容易に製造することができる。
請求項３記載の発明は、前記バランスウェートが前記口金に一体に形成されているので、部品点数をさらに低減して構造を簡素化でき、コストの低減を図ることができ、組み付け作業を容易に行うことができる。
【発明を実施するための最良の形態】
【００１０】
以下、本発明を具体化した手動利器における柄部の構造を包丁に具体化した一実施形態を図１〜図４に従って説明する。
図３に示すように、この包丁は刃部１１と、その基端部に連結された柄部１２とより構成されている。前記柄部１２は図１に示すように、例えばステンレススチール等の金属製の柄部本体１３と、この柄部本体１３の前端面に接合固定された同じくステンレススチール等の金属製の口金１４とを備えている。前記柄部本体１３は、図２に示すように、柄部本体１３の長手方向に、かつ垂直面に沿って分割された左右一対の分割片１５，１６を溶接部１７〔図４（ｃ）参照〕によって袋状に連結して構成されている。前記両分割片１５，１６はそれぞれ成型装置を用いて板材からプレス成形される。
【００１１】
前記柄部本体１３の内部には、後端部を閉塞し、前端部を開口した空洞部１８が形成されている。前記口金１４の後端面１４ａの中央部には、後方向へ向かって棒状のバランスウェート１９が一体に連結され、該バランスウェート１９は前記空洞部１８の中心部に挿入されている。前記柄部本体１３の先端開口縁１３ａと、前記口金１４の後端面１４ａの外周縁の突き合わせ部は、溶接部２０によって全周に亘って接合されている。
【００１２】
図２に示すように、前記口金１４にはスリット１４ｂが形成され、該スリット１４ｂに刃部１１の基端部が挿入され、溶接部（図示略）により連結されるようになっている。
次に、前記柄部１２の組み付け方法について説明する。
【００１３】
図４（ａ）に示すように、一対の分割片１５，１６を互いに溶接部１７によって連結し、袋状をなす柄部本体１３を形成する。図４（ｂ）に示す口金１４の後端面１４ａの外周縁に対し、前記柄部本体１３の先端開口縁１３ａを突き合わせ、この突き合わせ部を図４（ｃ）に示すように溶接部２０によって接合し、口金１４と柄部本体１３を連結する。
【００１４】
上記実施形態の包丁における柄部の構造によれば、以下のような効果を得ることができる。
（１）上記実施形態では、口金１４の後端面１４ａの外周縁に対し、袋状をなす柄部本体１３の先端開口縁１３ａを突き合わせて溶接部２０により接合したので、口金１４及び柄部本体１３の連結ロッドを不要にして、部品点数を低減し、構造を簡素化し、コストの低減を図ることができる。又、前記口金１４の後端面１４ａに棒状のバランスウェート１９を連結したので、包丁の重心が柄部１２側へ移動し、刃部１１と柄部１２の重量バランスを適正に設定することができる。
【００１５】
（２）上記実施形態では、柄部本体１３が左右一対の分割片１５，１６を溶接部１７により接合して形成されているので、袋状をなす柄部本体１３の形状を所望する形状に容易に形成することができる。
【００１６】
（３）上記実施形態では、前記バランスウェート１９が前記口金１４に一体に形成されているので、部品点数を低減し、組み付け作業を容易に行うことができる。
なお、上記実施形態は以下のように変更してもよい。
【００１７】
○図５に示すように、前記バランスウェート１９の先端部に雄ねじ部１９ａを設け、該雄ねじ部１９ａに補助バランスウェート２５を螺合してナット２６により取り付けるようにしもよい。この別例では、補助バランスウェート２５の重量を変更することにより刃部１１と柄部１２の重量バランスの調整を容易に行うことができる。
【００１８】
○図６に示すように、前記バランスウェート１９を、先端へ行くほど直径寸法が増大するようにテーパ状に形成してもよい。又、口金１４に雌ネジ部１４ｃを形成し、バランスウェート１９の基端部に形成した雄ネジ部１９ｂを螺合するようにしてもよい。この別例では、バランスウェート１９が同一直径の棒材と比較して少ない重量で刃部１１と柄部１２の重量バランスの設定を行うことができる。又、口金１４とバランスウェート１９を分離して形成した場合には、バランスウェート１９の材料として口金１４の材料であるステンレススチールと比較して、例えば軟鉄、鋳鉄、セラミック等の安価な材料を用いることができ、コストの低減を図ることができる。
【００１９】
○前記実施形態では、前記柄部本体１３の分割片１５，１６を垂直面を通るように左右にニ分割したが、水平面を通るように上下にニ分割してもよい。
○包丁以外の例えば、ナイフ、フォーク、スプーン或いはハサミ等の各種手動操作される手動利器の柄部に具体化してもよい。
【００２０】
次に、上記実施形態から把握される請求項以外の技術的思想について以下に説明する。
（技術的思想１）請求項１〜３のいずれか１項において、前記バランスウェートの先端部には、補助バランスウェートが装着されていることを特徴とする手動利器における柄部の構造。
【００２１】
上記の発明は、補助バランスウェートにより重量バランスの調整を容易に行うことができる。
（技術的思想２）請求項１〜３又は技術的思想１のいずれか１項において、前記バランスウェートは、先端へ行くほど直径寸法が増大するようにテーパ状に形成されていることを特徴とする手動利器における柄部の構造。
【００２２】
上記の発明は、バランスウェートが同一直径の棒材と比較して少ない重量で刃部と柄部の重量バランスの設定を行うことができる。
（定義）この明細書で手動利器の刃部とは、柄部の口金に取り付けられるスプーンの掬い部、フォークの歯部あるいは攪拌具の攪拌部等を含むものとする。
【図面の簡単な説明】
【００２３】
【図１】この発明を包丁の柄部の構造に具体化した一実施形態を示す柄部の縦断面図。
【図２】包丁の柄部の分解斜視図。
【図３】包丁全体を示す正面図。
【図４】（ａ）〜（ｃ）は包丁の柄部の製造方法を示す説明図。
【図５】この発明の別の実施形態を示す柄部の部分断面図。
【図６】この発明の別の実施形態を示す柄部の部分断面図。
【符号の説明】
【００２４】
１２…柄部、１３…柄部本体、１３ａ…先端開口縁、１４…口金、１４ａ…後端面、１５，１６…分割片、１７，２０…溶接部、１９…バランスウェート。
【図１】
2006110165.tif 000003
【図２】
2006110165.tif 000004
【図３】
2006110165.tif 000005
【図４】
2006110165.tif 000006
【図５】
2006110165.tif 000007
【図６】
2006110165.tif 000008